(57)【特許請求の範囲】
【請求項１】
筐体と、該筐体内に設けられ、室内の空気を吸い込み、この吸い込んだ空気を周囲に吐出する遠心ファンと、この遠心ファンの吐出側に該遠心ファンを取り囲むように配置された室内熱交換器と、該室内熱交換器の外周面側と前記筐体の内面で形成される吹出流路と、この吹出流路の下流側に設けられた吹出口とを備え、前記室内熱交換器は、長手方向に多数積み重ねて構成されるフィンを備えると共に直線部と曲げ部で略矩形状に構成されている空気調和機の室内機であって、
前記吹出口における前記遠心ファンの反回転方向側に対応する前記吹出流路の部分のみに、前記吹出流路の幅を狭める抵抗体を備え、反回転方向側に対応する前記吹出流路の幅を、回転方向側に対応する吹出流路の幅よりも狭く構成していることを特徴とする空気調和機の室内機。
【請求項２】
請求項１に記載の空気調和機の室内機において、前記抵抗体は前記吹出流路の上部側にのみ設けていることを特徴とする空気調和機の室内機。
【請求項３】
請求項２に記載の空気調和機の室内機において、前記吹出口は、前記筐体下面の周方向に４か所設けられ、それぞれの吹出口における前記遠心ファンの反回転方向側に対応する前記吹出流路の部分に前記抵抗体をそれぞれ設けていることを空気調和機の室内機。
【請求項４】
請求項１に記載の空気調和機の室内機において、前記抵抗体の遠心ファンの反回転方向側の端部は前記室内熱交換器の折り曲げた曲げ部の始点に対応する位置にあることを特徴とする空気調和機の室内機。
【請求項５】
請求項１に記載の空気調和機の室内機において、前記吹出流路における前記筐体内面の角部にも、前記吹出流路の幅を狭める抵抗体を備えていることを特徴とする空気調和機の室内機。
【請求項６】
請求項５に記載の空気調和機の室内機において、前記吹出口における前記遠心ファンの反回転方向側に対応する前記吹出流路の部分に設けられた前記抵抗体と、前記吹出流路における前記筐体内面の角部に設けられた前記抵抗体とは、所定の距離だけ離して設けられていることを特徴とする空気調和機の室内機。
【請求項７】
請求項５に記載の空気調和機の室内機において、前記室内熱交換器で生じる結露水を排出するためのドレンポンプを、前記吹出流路における前記筐体内面の１つの角部に設け、前記ドレンポンプを設けた吹出流路の１つの角部の上部に前記抵抗体が設けられ、このドレンポンプ上部の抵抗体と、前記吹出口における前記遠心ファンの反回転方向側に対応する前記吹出流路の部分に設けられた前記抵抗体とは隙間を設けずに配置されていることを特徴とする空気調和機の室内機。
【請求項８】
請求項５に記載の空気調和機の室内機において、前記吹出流路における前記筐体内面の角部に設けられた前記抵抗体は、前記吹出流路の高さ方向全体に亘って設けられていることを特徴とする空気調和機の室内機。
【請求項９】
請求項５に記載の空気調和機の室内機において、前記室内熱交換器で生じる結露水を排出するためのドレンポンプを、前記吹出流路における前記筐体内面の１つの角部に設け、前記ドレンポンプを設けた吹出流路の１つの角部の上部に、前記吹出流路における前記筐体内面の角部に設けられた前記抵抗体が設けられていることを特徴とする空気調和機の室内機。
【請求項１０】
請求項９に記載の空気調和機の室内機において、前記ドレンポンプを備えている角部以外の前記吹出流路の角部にも該吹出流路の幅を狭める抵抗体を備え、この抵抗体は、前記吹出流路の高さ方向全体に亘って設けられていることを特徴とする空気調和機の室内機。
【請求項１１】
請求項１〜１０の何れか一項に記載の空気調和機の室内機において、前記筐体の内面には断熱材が設けられ、前記抵抗体は断熱材と一体に形成されていることを特徴とする空気調和機の室内機。
【発明の詳細な説明】
【技術分野】
【０００１】
本発明は空気調和機の室内機に係り、特に、筐体内に設けられた遠心送風機を介して、室内から空気を吸い込み、前記遠心送風機の吹き出し側に設けられた熱交換器を通過させて前記空気を冷却または加熱した後、室内に向けて吹き出すように構成されたものに関する。
【背景技術】
【０００２】
空気調和機は、冷媒が封入された冷媒循環流路に、冷媒を圧縮する圧縮機と、前記冷媒と室内の空気とを熱交換させる室内熱交換器と、前記冷媒を減圧する膨張弁と、前記冷媒と外気とを熱交換させる室外熱交換器とを順次配設して冷凍サイクルを構成している。また、前記空気調和機は、室外機と室内機を有しており、前記室外機は、筐体と、この筐体内に格納された室外熱交換器と、この室外熱交換器に空気を送る送風機などを備え、前記室内機は、筐体と、この筐体内に格納された室内熱交換器と、この室内熱交換器に室内の空気を送る送風機などを備えている。
【０００３】
前記室内機としては、据付場所に対応して様々な形態のものがある。近年、特に業務用の分野では、筐体を天井内に埋め込み、天井面に設置された化粧パネルを介して空気の吸い込み、吹き出しを行う、いわゆる天井埋込カセットタイプが室内機の主流となっている。
【０００４】
図７及び図８を用いて、従来の空気調和機の室内機の一例を説明する。  
図７において、室内機１００は、天井内に埋め込まれる筐体１と、この筐体下面を覆うように該筐体１に取り付けられ且つ天井面位置に配設された化粧パネル２を備えている。前記化粧パネル２には、その中心に吸込口２ａが設けられており、この吸込口２ａには吸込みグリル３が設けられている。更に、前記化粧パネル２の前記吸込みグリル３の周囲には風向板４を備える吹出口５が配設されている。
【０００５】
前記筐体１内には、遠心ファン６ａと、この遠心ファン６ａを回転させるためのモータ６ｂを備える遠心送風機６が設置され、前記モータ６ｂを運転することにより前記遠心ファン６ａが回転して、図７の矢印１５に示すように、室内空気は、吸込みグリル３と、この吸込みグリル３に設置されたフィルタ１６を通り、前記筐体１内に設置されたベルマウス１０に案内されて、遠心ファン６ａの吸込口に吸い込まれ、矢印１８で示すように遠心ファン６ａの吐出口から吐出される。
【０００６】
また、前記遠心送風機６の周囲を取り囲むように、前記筐体1内には室内熱交換器８が配置されており、前記遠心ファン６ａから吐出された空気は、前記室内熱交換器８で熱交換された後、矢印１７に示すように、前記室内熱交換器８の外周面側と前記筐体１の内面（筐体１の上部内面及び側部内面）で形成される吹出流路２０を通って、前記吹出口５から室内に吹出される。前記室内熱交換器８の下部には、冷房時に室内熱交換器８に生じる結露水を受けるためのドレンパン９が設置されている。
【０００７】
前記吸込みグリル３は前記フィルタ１６と共に前記化粧パネル２から着脱可能に構成されており、前記フィルタ１６の清掃が容易な構造となっている。前記ベルマウス１０の下面には、室内機１００の運転を制御するための制御基板を収納した電気品箱１１が設置されており、前記吸込みグリル３を開けることにより、前記電気品箱１１のメンテナンスを容易に可能な構造となっている。前記ベルマウス１０は前記ドレンパン９の内周部に取付けられており、前記吸込みグリル３を開き、前記ベルマウス１０を取り外すことにより、前記遠心ファン６ａや前記モータ６ｂの交換などのメンテナンスも容易に行えるように構成されている。なお、２８は前記筐体１の内側面に設けられている断熱材である。
【０００８】
図８は、図７に示す室内機１００を、筐体１の天板１ａ側から見た平面断面図で、遠心ファン６ａの吐出口を通る部分の断面を示している。この図８に示すように、室内熱交換器８は、遠心ファン６ａを取り囲むように、直線部と曲げ部で構成されている。また、前記室内熱交換器８の１つの角部には、ドレンパン９（図７参照）で生じる結露水を機外（室内機の外部）に排出するためのドレンポンプ２１が設置されており、この角部に対応する部分の前記室内熱交換器８は前記ドレンポンプ２１を避けるように折り曲げられている。また、前記室内熱交換器８の別の一つの角部には、室内熱交換器８に接続される配管や補器を収納するための機械室２２が設けられている。
【０００９】
図７に示す前記吹出口５は、図８に矩形の破線で示すように、室内機１００における前記室内熱交換器８の外周側の４辺に設けられ、前記室内熱交換器８の角部の外周側には設けられていない。  
この種従来技術としては、特開２０００−２０５５８９号（特許文献１）に記載されたものなどがある。
【先行技術文献】
【特許文献】
【００１０】
【特許文献１】特開２０００−２０５５８９号
【発明の概要】
【発明が解決しようとする課題】
【００１１】
図７、図８に示す従来の空気調和機の室内機において、前記遠心ファン６ａが回転すると、空気は遠心ファン６ａの外周部から、矢印１８に示すように、遠心ファン６ａの径方向から回転方向側に傾いた角度で吹き出される。一方、前記室内熱交換器８はフィンアンドチューブ熱交換器で構成されており、アルミ製の板状のフィンを長手方向に多数積み重ねて構成されている。このため、室内熱交換器８を通過する空気は、熱交換器の厚さ方向（フィンと平行な方向）には移動できるが、熱交換器の長手方向（フィンの積層方向）には移動できない。このため、前記遠心ファン６ａから吐出された空気は、室内熱交換器８に入射する角度の違いにより、室内熱交換器８を通過する空気の通り易さが変わってくる。
【００１２】
図９は、前記遠心ファン６ａから吐出された空気の前記室内熱交換器８を通過する速度を示す風速分布図を示す。図７に示すように、遠心ファン６ａの吐出口は室内熱交換器８の上部側に位置しているため、室内熱交換器８の上部側の風速が早くなる。また、図８に示すように、室内熱交換器８の直線部（４辺の直線部）においては、遠心ファン６ａの反回転方向側の部分では、前記遠心ファン６ａから吐出された空気が、熱交換器に対し垂直（フィンに平行）に近い方向で入射する為、空気の通過抵抗が小さく、空気が通過し易い。
【００１３】
一方、前記室内熱交換器８の直線部における遠心ファン６ａの回転方向側の部分では、前記遠心ファン６ａから吐出された空気が、熱交換器に対しフィンの積層方向（熱交換器の長手方向）に近い方向に入射する為、空気の通過抵抗が大きくなり、空気が通過し難くなる。
【００１４】
この結果、図９に示すように、室内熱交換器８の上部で且つ直線部における遠心ファンの反回転方向側で風速が早く、前記室内熱交換器８の下部で且つ直線部における遠心ファンの回転方向側で風速が遅くなる傾向がある。この風速分布により、室内熱交換器８の下部側の伝熱性能が低下すると共に、室内熱交換器８を通過する空気の通風抵抗も増えてしまうという課題があった。
【００１５】
前記特許文献１のものでは、吹出流路の上流側（上部側）の幅を下流側（下部側）の幅よりも小さくすることで、熱交換器を通過する空気の風速分布を均一化するようにしているが、吹出流路の周方向の全体に亘って上流側の幅を下流側の幅よりも小さくすることは、吹出流路の通風抵抗を増大させることになり、室内機全体における風量の低下や室内機における送風音が増大する課題がある。
【００１６】
本発明の目的は、室内熱交換器を通過する空気の風速分布を改善できると共に、通風抵抗も低減して、風量の低下や送風音の増大を抑制することのできる空気調和機の室内機を得ることにある。
【課題を解決するための手段】
【００１７】
上記目的を達成するため、本発明は、筐体と、該筐体内に設けられ、室内の空気を吸い込み、この吸い込んだ空気を周囲に吐出する遠心ファンと、この遠心ファンの吐出側に該遠心ファンを取り囲むように配置された室内熱交換器と、該室内熱交換器の外周面側と前記筐体の内面で形成される吹出流路と、この吹出流路の下流側に設けられた吹出口とを備える空気調和機の室内機であって、前記吹出口における前記遠心ファンの反回転方向側に対応する前記吹出流路の部分に、前記吹出流路の幅を狭める抵抗体を備えていることを特徴とする。
【００１８】
本発明の他の特徴は、筐体と、該筐体内に設けられ、室内の空気を吸い込み、この吸い込んだ空気を周囲に吐出する遠心ファンと、この遠心ファンの吐出側に該遠心ファンを取り囲むように配置された室内熱交換器と、該室内熱交換器の外周面側と前記筐体の内面で形成される吹出流路と、この吹出流路の下流側に設けられた吹出口とを備える空気調和機の室内機であって、前記筐体内面の角部に対応する前記吹出流路に、前記吹出流路の幅を狭める抵抗体を備えていることにある。
【発明の効果】
【００１９】
本発明によれば、室内熱交換器を通過する空気の風速分布を改善できると共に、通風抵抗も低減して、風量の低下や送風音の増大を抑制することのできる空気調和機の室内機を得ることができる効果が得られる。
【図面の簡単な説明】
【００２０】
【図１】本発明の空気調和機の室内機の実施例１を示す平面断面図。
【図２】図１のＡ−Ａ線断面図。
【図３】本発明の空気調和機の室内機の実施例２を示す平面断面図。
【図４】図３のＢ−Ｂ線断面図。
【図５】本発明の空気調和機の室内機の実施例３を示す平面断面図。
【図６】図５に示す室内機の変形例を示す平面断面図。
【図７】従来の空気調和機の室内機の一例を示す縦断面図。
【図８】図７に示す室内機の平面断面図。
【図９】従来の空気調和機の室内機における熱交換器を通る空気の風速分布図。
【発明を実施するための形態】
【００２１】
以下、本発明の空気調和機の室内機の具体的実施例を、図面を用いて説明する。各図において、同一符号を付した部分は同一或いは相当する部分を示している。
【実施例１】
【００２２】
本発明の空気調和機の室内機の実施例１を、図１及び図２を用いて説明する。図１は本発明の空気調和機の室内機の実施例１を示す平面断面図で、遠心ファンの回転軸に垂直で且つ遠心ファンの吐出口を通る断面を、筐体１の天板１ａ側から見た図である。また、図２は図１のＡ−Ａ線断面図である。
【００２３】
室内機１００は、天井内に埋め込まれる筐体１と、この筐体下面を覆うように該筐体１に取り付けられ且つ天井面位置に配設された化粧パネル２を備えている。前記化粧パネル２には、その中心に吸込口２ａが設けられており、この吸込口２ａには吸込みグリル３が設けられている。更に、前記化粧パネル２の前記吸込みグリル３の周囲には風向板４を備える吹出口５が配設されている。
【００２４】
前記筐体１内には、遠心ファン６ａと、この遠心ファン６ａを回転させるためのモータ６ｂを備える遠心送風機６が設置され、前記モータ６ｂを運転することにより前記遠心ファン６ａが矢印３０の方向に回転すると、図２の矢印１５に示すように、室内空気は、吸込みグリル３と、この吸込みグリル３に設置されたフィルタ１６を通り、前記筐体１内に設置されたベルマウス１０に案内されて、遠心ファン６ｂの吸込口に吸い込まれ、矢印１８で示すように遠心ファン６ａの吐出口から吐出される。  
なお、図２は遠心ファン６ａの回転軸を通る断面ではないため、モータ６ｂのシャフトは表示されていない。
【００２５】
また、前記遠心送風機６の周囲を取り囲むように、前記筐体１内には室内熱交換器８が配置されており、前記遠心ファン６ａから吐出された空気は、前記室内熱交換器８で熱交換された後、矢印１７で示すように、前記室内熱交換器８の外周面側と前記筐体１の内面（筐体１の上部内面及び側部内面）で形成される吹出流路２０を通って、前記吹出口５から室内に吹出される。前記室内熱交換器８の下部には、冷房時に室内熱交換器８に生じる結露水を受けるためのドレンパン９が設置されている。
【００２６】
前記吸込みグリル３は前記フィルタ１６と共に前記化粧パネル２から着脱可能に構成されており、前記フィルタ１６の清掃が容易な構造となっている。前記ベルマウス１０の下面には、室内機１００の運転を制御するための制御基板を収納した電気品箱１１が設置されており、前記吸込みグリル３を開けることにより、前記電気品箱１１のメンテナンスが容易に可能な構造となっている。前記ベルマウス１０は前記ドレンパン９の内周部に下方からねじ止めなどの手段で取付けられており、前記吸込みグリル３を開き、前記ベルマウス１０を取り外すことにより、前記遠心ファン６ａや前記モータ６ｂの交換などのメンテナンスも容易に行えるように構成されている。
【００２７】
図１は、図２に示す室内機１００を、筐体１の天板１ａ側から見た平面断面図で、遠心ファン６ａの吐出口６ａａを通る部分の断面を示している。この図１に示すように、室内熱交換器８は、遠心ファン６ａを取り囲むように、直線部と曲げ部で略矩形状に構成されている。また、前記室内熱交換器８の１つの角部には、ドレンパン９（図２参照）で生じる結露水を機外（室内機の外部）に排出するためのドレンポンプ２１が設置されており、この角部に対応する部分の前記室内熱交換器８は前記ドレンポンプ２１を避けるように折り曲げられている。また、前記室内熱交換器８の別の一つの角部には、室内熱交換器８に接続される配管や補器を収納するための機械室２２が設けられている。なお、２８は前記筐体１の内側面（内周側）に設けられている断熱材である。
【００２８】
図２に示す前記吹出口５は、図１に矩形の破線で示すように、室内機１００における前記室内熱交換器８の外周側の４辺に設けられ、前記室内熱交換器８の角部の外周側には設けられていない。  
本実施例の空気調和機の室内機においては、図１、図２に示すように、筐体２内面の吹出流路２０の上部で且つ前記室内熱交換器８の直線部、または前記吹出口５における遠心ファン６ａの反回転方向側に、空気流路を狭める抵抗体２４が、前記室内熱交換器８の各辺に対応する部分に設けられている。
【００２９】
この抵抗体２４により、前記室内熱交換器８の空気が通りやすい部分に空気が過剰に流れるのを抑制し、前記室内熱交換器８の空気が通りにくい部分には空気が流れ易いようにできるため、前記室内熱交換器８を通過する空気の風速分布をより均一化できる。更に、前記抵抗体２４を取り付ける位置を、前記室内機１００における吹出流路２０の全体とするのではなく、その一部（吹出流路２０の上部及び吹出口５における遠心ファン反回転方向側）としているため、吹出流路２０の周方向の全体に亘ってその上流側の幅を下流側の幅よりも小さくするものに比べて、通風抵抗を低減することができるから、風量の低下や送風音の増大を抑制することができる。
【００３０】
なお、前記抵抗体２４による上記効果をより高めるため、前記抵抗体２４の遠心ファン６ａ反回転方向側の端部は、前記室内熱交換器８の前記曲げ部の始点に対応する位置とすることが好ましい。また、前記抵抗体２４の長手方向の長さは、前記吹出流路２０や吹出口５における通風抵抗の増加を抑制するために、前記室内熱交換器８における前記直線部の長さ、または前記吹出口５の長さの１／２〜１／４程度とすることが好ましい。なお、本実施例１においては、前記ドレンポンプ２１と前記機械室２２との間の吹出流路２０に設けている抵抗体２４ａの長さを、他の３つの抵抗体２４の長さよりも短く形成し、この部分における通風抵抗の増加を抑制している。  
更に、前記抵抗体２４の短手方向の長さは、前記吹出流路２０の幅の１／２〜３／４程度とすることが好ましい。
【実施例２】
【００３１】
次に、図３及び図４を用いて本発明の実施例２を説明する。これら図３及び図４において、図１及び図２と同一符号を付した部分は同一或いは相当する部分を示しており、図１及び図２と異なる部分を中心に説明する。
【００３２】
図３は本発明の空気調和機の室内機の実施例２を示す平面断面図で、遠心ファンの回転軸に垂直で且つ遠心ファンの吐出口を通る断面を、筐体１の天板１ａ側から見た図である。また、図４は図３のＢ−Ｂ線断面図である。
【００３３】
上述した実施例１では、室内熱交換器８の直線部または吹出口５における遠心ファン６ａの反回転方向側に前記抵抗体２４を設けた例を説明したが、本実施例２では、図３に示すように、筐体１内面に形成されている周方向の吹出流路２０における筐体内面の角部、即ち室内熱交換器８の角部に、前記吹出流路２０の幅（流路幅）を狭める抵抗体２５，２６を設けるようにしたものである。本実施例では、前記筐体１の４つの角部のうち、機械室２２の部分を除く３つの角部、即ち吹出流路２０の３つの角部にそれぞれ前記抵抗体２５，２６を設けている。
【００３４】
前記３つの抵抗体２５，２６のうち、抵抗体２５は、図４に示すように、ドレンポンプ２１を設けている角部に設けられているものであり、この抵抗体２５は、ドレンポンプ２１の上部にのみ設けられている。他の２つの角部に設けられている抵抗体２６は、ドレンポンプ２１がないので、吹出流路２０の全高さ、即ち筐体２の上面からドレンパン９に至るまで設けられている。
【００３５】
前記室内熱交換器８の直線部のうち、前記遠心ファン６ａの回転方向側の下部は最も空気が通り難い位置である。そこで隣接する前記角部に前記抵抗体２５，２６を設けて、室内熱交換器８における角部を空気が通り難くなるようにすることにより、室内熱交換器８の直線部における遠心ファン６ａ回転方向側の下部に空気を流すことができる。また、前記各角部には吹出口が設けられていないため、この部分に全高さにわたって抵抗体２５，２６を設けても、吹出流路２０の通風抵抗は全体としてほとんど悪化しない。
【００３６】
一方、前記ドレンポンプ２１を設けている角部では、前記ドレンポンプ２１自体が抵抗体の役目も果たすため、大きな空間が形成されているドレンポンプ２１の上部にのみ抵抗体２５を設ければ良い。
【００３７】
本実施例２のように構成しても、室内熱交換器８を通過する空気の風速分布を改善できると共に、通風抵抗も低減して、風量の低下や送風音の増大を抑制することのできる空気調和機の室内機を得ることができる。  
なお、図３に示す実施例では、吹出流路２０の３つの角部にそれぞれ前記抵抗体２５，２６を設けた例を説明したが、これら３つの角部のうちの少なくとも１つ以上の角部に前記抵抗体２５または２６を設けるようにしても良い。
【実施例３】
【００３８】
次に、図５を用いて本発明の実施例３を説明する。図３において、図１〜図４と同一符号を付した部分は同一或いは相当する部分を示しており、図１〜図４に示す実施例と異なる部分を中心に説明する。  
図５は本発明の空気調和機の室内機の実施例３を示す平面断面図で、遠心ファンの回転軸に垂直で且つ遠心ファンの吐出口を通る断面を、筐体１の天板１ａ側から見た図である。
【００３９】
本実施例３においては、図１及び図２に示す上記実施例１における前記抵抗体２４と、図３及び図４に示す上記実施例２の抵抗体２５，２６の両方を備えるようにしたものである。  
即ち、本実施例３においては、前記吹出口５における前記遠心ファン６ａの反回転方向側に対応する前記吹出流路２０の部分に、前記吹出流路の幅を狭める抵抗体２４を備えると共に、前記吹出流路２０における前記筐体内面の角部にも、前記吹出流路２０の幅を狭める抵抗体２６，２７を備えているものである。なお、前記抵抗体２７はドレンポンプ２１（図１、図４参照）の上部に設けられている抵抗体（図３の抵抗体２５参照）と、吹出口５における遠心ファン６ａ反回転方向側に対応する前記吹出流路２０の部分に設けられている抵抗体（図１の抵抗体２４ａ参照）を一体化して構成したものである。
【００４０】
本実施例においても、前記吹出口５（室内熱交換器８の直線部）に対応する位置に設けられる抵抗体２４は、実施例１と同様に、吹出流路２０の上部側にのみ設けられ、角部に設けられる抵抗体２６は実施例２と同様に、吹出流路２０の全高さ（筐体２の上面からドレンパン９に至るまでの全高さ）に亘って設置されている。  
ドレンポンプ２１の上部に設けられている抵抗体２７は、図４に示す抵抗体２５と同様に、上部空間に設けられ、また、この抵抗体２７の吹出口５の位置に対応する部分２７ａは、図２に示す抵抗体２４と同様に、吹出流路２０の上部側にのみ設けられている。
【００４１】
このように、空気が最も流れやすい部分（吹出口５における遠心ファン６ａ反回転方向側に対応する吹出流路２０の部分）と、空気が最も流れにくい部分（筐体角部に対応する吹出流路の部分）に隣接する部分の両方に抵抗体２６，２７を設けることにより、空気が最も流れにくい部分から空気を流すことができ、室内熱交換器８を通過する空気の風速分布をより均一化することができる。
【００４２】
また、本実施例では、前記吹出口５における前記遠心ファン６ａの反回転方向側に対応する前記吹出流路２０の部分に設けられた前記抵抗体２４と、前記吹出流路２０における前記筐体内面の角部に設けられた前記抵抗体２６とは、所定の距離だけ離して設けられている。前記所定の距離は、例えば、前記吹出口５の短手方向の幅の０．７〜１．０倍の大きさにすると良い。これにより、前記抵抗体２４と前記抵抗体２６との隙間から吹出口５に導くための流路を形成することができるから、吹出流路２０の通風抵抗が大幅に悪化することを抑制できる。
【００４３】
なお、ドレンポンプ２１が設けられる角部においては、室内熱交換器８と筐体１内面との距離が他の角部よりも大きく、吹出流路２０の通風抵抗が増加し難いため、本実施例では、上述したように、ドレンポンプ２１の上部に設けられている抵抗体と、吹出口５における遠心ファン６ａ反回転方向側に対応する前記吹出流路２０の部分に設けられている抵抗体を一体化して抵抗体２７として構成しているものである。
【００４４】
また、前記抵抗体２７は、ドレンポンプ２１の上部の抵抗体と吹出口５の上部の抵抗体を一体化して構成されているが、ドレンポンプ２１上部の抵抗体と吹出口５上部の抵抗体を別体としても良い。但し、前記抵抗体２７を一体化した方が、製作は容易になる。
【００４５】
図５に示す室内機１００の変形例を図６により説明する。図６は室内機の平面断面図で、図５に相当する図であり、図１〜図５と同一符号を付した部分は同一或いは相当する部分である。  
空気調和機の室内機１００は、通常、筐体１の内周側を断熱材２８で構成していることが多い。そこで、図６に示す例では、図５に示す抵抗体２４，２６，２７を、前記断熱材２８と一体に形成して、抵抗体を有する断熱材２９としたものである。例えば、発泡スチロールにより前記断熱材２８と前記抵抗体２４，２６，２７を一体成形して抵抗体を有する断熱材２９を製作することにより、製造コストを低減することができる。
【００４６】
なお、本発明は上述した実施例に限定されるものではなく、様々な変形例が含まれる。例えば、上記実施例では、室内熱交換器８の直線部或いは筐体１の角部の全てに対応する吹出流路２０の部分に、前記抵抗体を設けている例を示したが、前記室内熱交換器８を通過する空気の風速分布に応じて、それらのうちの一部に設けるようにしても良い。  
また、ある実施例の構成の一部を他の実施例の構成に置き換えることが可能であり、ある実施例の構成に他の実施例の構成を加えることも可能である。更に、上記した実施例は本発明を分かり易く説明するために詳細に説明したものであり、必ずしも説明した全ての構成を備えるものに限定されるものではない。
【符号の説明】
【００４７】
１…筐体、１ａ…天板、
２…化粧パネル、２ａ…吸込口、３…吸込みグリル、
４…風向板、５…吹出口、
６…遠心送風機、６ａ…遠心ファン、６ａａ…吐出口、６ｂ…モータ、
８…室内熱交換器、９…ドレンパン、
１０…ベルマウス、１１…電気品箱、１６…フィルタ、
２０…吹出流路、２１…ドレンポンプ、２２…機械室、
２４，２４ａ，２５，２６，２７…抵抗体、
２７ａ…抵抗体２７の吹出口の位置に対応する部分、
２８…断熱材、２９…抵抗体を有する断熱材。
【図１】
0006704695.tif 000002
【図２】
0006704695.tif 000003
【図３】
0006704695.tif 000004
【図４】
0006704695.tif 000005
【図５】
0006704695.tif 000006
【図６】
0006704695.tif 000007
【図７】
0006704695.tif 000008
【図８】
0006704695.tif 000009
【図９】
0006704695.tif 000010